(57)【要約】【課題】  レンジフードのシロッコファンケーシングの清掃は頭より高い位置で行い大変で、綺麗にならない。【解決手段】  レンジフードにおいて、レンジフードの左右側面間に梁を設け、梁にファンモーター固定金具を配設して固定金具にファンモーターを固定し、ファンケイシングとファンモーターは分離して、ファンケイシング上部にファン取付け金具が貫通する穴と排気ダクトが挿入される排気ダクト挿入口を設けて、ファン取付け金具にはファンがファン装着具により装着されていて、梁に排気ダクトが固定されている、と共に、フードは左右側面に固定して、フードにファンケイシングがファンケイシング取付けボルトにより脱着容易装着されていて、  ファンケイシングに吸気口面全体がファンケイシング吸気口面取付けボルトにより脱着容易装着されている。【選択図】  図２
2015206577.tif 000002
【特許請求の範囲】
【請求項１】
レンジフードにおいて、レンジフードの左右側面間に梁を設け、梁にファンモーター固定金具を配設し固定金具にファンモーターを固定して、梁に排気ダクトが固定されていて、ファンケイシングとファンモーターは分離して、ファンケイシング上部にファン取付け金具が貫通する穴と排気ダクトが挿入される排気ダクト挿入口を設けて、ファン取付け金具にはファンがファン装着具により装着されている、と共に、フードは左右側面に固定して、フードにファンケイシングがファンケイシング取付けボルトにより脱着容易装着されていて、ファンケイシングに吸気口を有する吸気口面全体が吸気口面取付けボルトにより脱着容易装着されている事を特徴とするレンジフード。
【請求項２】
前記フードに装着する整流版に、整流版上面に対して直角にオイルグリッド柱を設け、オイルグリッド柱には差し込み溝が形成され、差し込み溝にはオイルグリッドが脱着容易に装着されていて、オイルグリッド柱を整流版の奥に２本と手前に２本設け、奥２本にフックと手前２本に留穴を形成して、フードに該フックを留める掛具を設け、フードに該留穴を留めるための留め具を形成する事を特徴とする請求項１に記載のレンジフード。
【請求項３】
レンジフードにおいて、レンジフードの左右側面のそれぞれにロングフックを配設しロングフック間に支持フレームを装着すると共に、支持フレームはフード周囲の支持フレームに成っていて、支持フレームに支持アームを固定し、フードは支持フレームと支持アームで固定されて、支持アーム上部にファンモーターと排気ダクトを装着し、支持アームに吸気口面支持バーを配設し、支持バー下部にロックハンドルを装着して、支持アームにファンケイシング位置確定具が配設されている、と共に、ファンケイシング上部にファン留ピンを有するファンモーターシャフトと、ファンモーターシャフト周囲に設けられたシールダーが貫通する穴と排気ダクトが出入りする排気口が形成されていて、ファンケイシングに取っ手と筒を設け、筒にスプリングを装着して、支持アーム間に横板状の梁を設けて、梁に上向きフックと、一対の向かい合う横向きフックを設けてあって、ファンケイシングはフード中央の開口部より支持アーム間を上下動出来て、ファンモーターにはファンが装着されて、フードに設けた支持梁に吸気口面脱落防止フックが留められて、吸気口面をロックハンドルで係止出来ることを特徴とする請求項１又は請求項２のいずれか記載のレンジフード。
【請求項４】
レンジフードにおいて、レンジフードの左右側面のそれぞれにコロガイドレールと上コロを配設して、フードの左右と前後にＣ型フレームを枠状に装着し、左右のＣ型フレームの奥端に下コロとＣ型フレーム上に上コロスットッパーを配設して、左右のＣ型フレームに支持アームが固定されて、フードはＣ型フレームと支持アームで固定して、支持アーム上部にファンモーターと排気ダクトが装着されていて、枠状のＣ型フレームが前後に移動できることを特徴とする請求項１又は請求項３のいずれか記載のレンジフード。
【発明の詳細な説明】
【技術分野】
【０００１】
本発明は、調理時に発生する湯気、油分を含む空気等をフード内に捕集し送風機で屋外に排出するレンジフードにおいて、そのフード清掃を楽な姿勢での洗浄に関する。
【背景技術】
【０００２】
従来、レンジフードの清掃の際にシロッコファンケーシングの清掃はシロッコファンケーシングの取付け位置でなされていた。
【０００３】
従来、レンジフードのシロッコファンケーシングは、シロッコファンケーシングをレンジフードから取り外すことはなかった。
【先行技術文献】
【特許文献】
【０００４】
【特許文献１】特開平７−２９３９５８号公報
【特許文献２】特開２００９−１３８９９０号公報
【特許文献３】特開２００９−２５４１号公報
【特許文献４】特開２００６−３００３５３号公報
【発明の概要】
【０００５】
レンジフードにおいて、シロッコファンケイシングをレンジフード本体より独立させ、レンジフードにシロッコファンケイシングを脱着容易にすること、レンジフードのほぼ全体をアッセンブリ―にして前後に移動できる形状にすることにより問題点を解決した。
【発明が解決しようとする課題】
【０００６】
特開平７−２９３９５８においては、シロッコファンケーシングの一部とオイルグリッドを下に下げているが、シロッコファンケーシングの多くはレンジフード上奥深い所にあり清浄に手間がかかる。
特開平７−２９３９５８においては、フードは取り外す事は出来るがファンフードの清浄は高い位置での作業であり骨が折れる。
【０００７】
しかしながら、従来通りのシロッコファンケーシング取付け位置での清掃は高い位置での作業であり骨が折れる、綺麗にならない、レンジフード上奥にあるシロッコファンケーシングの清浄はガスレンジ台やIHクッキングヒーター台の上に乗り体をよじって行わなければならない、又拭くだけでは綺麗にならない、などの解決すべき問題点があった、本考案はこれらの問題を解決するためのものである。
【課題を解決するための手段】
【０００８】
本願発明の請求項１は、レンジフードにおいて、レンジフードの左右側面間に梁を設け、梁にファンモーター固定金具を配設し固定金具にファンモーターを固定して、梁に排気ダクトが固定されていて、ファンケイシングとファンモーターは分離して、ファンケイシング上部にファン取付け金具が貫通する穴と排気ダクトが挿入される排気ダクト挿入口を設けて、ファン取付け金具にはファンがファン装着具により装着されている、と共に、フードは左右側面に固定して、フードにファンケイシングがファンケイシング取付けボルトにより脱着容易装着されていて、ファンケイシングに吸気口を有する吸気口面全体が吸気口面取付けボルトにより脱着容易装着されているレンジフード。
【０００９】
本願発明の請求項２は、前記フードに装着する整流版に、整流版上面に対して直角にオイルグリッド柱を設け、オイルグリッド柱には差し込み溝が形成されて、差し込み溝にはオイルグリッドが脱着容易に装着されていて、オイルグリッド柱を整流版の奥に２本と手前に２本設け、奥２本にフックと手前２本に留穴を形成して、フードに該フックを留める掛具を設け、フードに該留穴を留めるための留め具が形成されたレンジフード。
【００１０】
本願発明の請求項３は、レンジフードにおいて、レンジフードの左右側面のそれぞれにロングフックを配設しロングフック間に支持フレームを装着すると共に、支持フレームはフード周囲の支持フレームに成っていて、支持フレームに支持アームを固定し、フードは支持フレームと支持アームで固定されて、支持アーム上部にファンモーターと排気ダクトを装着し、支持アームに吸気口面支持バーを配設し、支持バー下部にロックハンドルを装着して、支持アームにファンケイシング位置確定具が配設されている、と共に、ファンケイシング上部にファン留ピンを有するファンモーターシャフトと、ファンモーターシャフト周囲に設けられたシールダーが貫通する穴と排気ダクトが出入りする排気口が形成されていて、ファンケイシングに取っ手と筒を設け、筒にスプリングを装着して、支持アーム間に横板状の梁を設けて、梁に上向きフックと、一対の向かい合う横向きフックを設けてあって、ファンケイシングはフード中央の開口部より支持アーム間を上下動出来て、ファンモーターにはファンが装着されて、フードに設けた支持梁に吸気口面脱落防止フックが留められて、吸気口面をロックハンドルで係止出来るレンジフード。
【００１１】
本願発明の請求項４は、レンジフードにおいて、レンジフードの左右側面のそれぞれにコロガイドレールと上コロを配設して、フードの左右と前後にＣ型フレームを枠状に装着し、左右のＣ型フレームの奥端に下コロとＣ型フレーム上に上コロスットッパーを配設して、左右のＣ型フレームに支持アームが固定されて、フードはＣ型フレームと支持アームで固定して、支持アーム上部にファンモーターと排気ダクトが装着されていて、枠状のＣ型フレームが前後に移動できるレンジフード。
【００１２】
請求項１と２に対する本願発明のレンジフードは、レンジフードの左右側面間に梁を設け、梁にファンモーター固定金具を配設して固定金具にファンモーターを固定して、ファンケイシングにファンモーターは取付けず、ファンケイシングとファンモーターは分離して、ファンケイシング上部にファンモーターシャフトに装着されたファン取付け金具が貫通する穴と排気ダクトが挿入される排気ダクト挿入口を設けて、ファン取付け金具にはファンがファン装着具により装着されていて、梁に排気ダクトが固定されている。
【００１３】
フードは左右側面に固定して、フードにファンケイシングを装着するファンケイシング取付けボルトを装着する雌螺子ナットを形成し、フードにファンケイシングがファンケイシング取付けボルトにより装着されている。
【００１４】
ファンケイシングに吸気口が形成された吸気口面全体を装着する吸気口面取付けボルトが装着される雌螺子ナットを形成し、ファンケイシングに吸気口面全体がファンケイシング吸気口面取付けボルトにより装着されている。
【００１５】
フードに装着する整流版に、整流版上面に対して直角にオイルグリッド差し込み溝を有するオイルグリッド柱を整流版の奥に２本と手前に２本設け、奥２本にフックと手前２本に留穴を形成して、フードに整流板を扇状で開閉自在に装着する要にフックをひっかける掛具を設け、フードの手前に整流板の手前を上げて整流板に設けた留穴を留めるための留め具を形成する。
【００１６】
請求項３に対する本願発明のレンジフードは、レンジフードにおいて、レンジフードの左右側面のそれぞれにロングフックを配設し、ロングフック間に支持フレームを装着して、支持フレームに支持アームを固定し、フードを支持フレームと支持アームで固定して、支持アーム上部にファンモーターと排気ダクトを装着し、ファンモーターと排気ダクト間の支持アームにファンケイシングの吸気口面を支える吸気口面支持バーを配設し、支持バー下部にロックハンドルを装着して、支持アームにファンケイシング位置確定具を配設する。
【００１７】
ファンケイシングに横溝状の取っ手とファンケイシング側面下部の左右に一対ずつの筒を設け、筒にスプリングを装着して、右二本の支持アーム間と左二本の支持アーム間のそれぞれに横板状の梁を設け、二本の梁のそれぞれに、ファンケイシングを下げた時点でスプリングが引っかかる上向きフックと、ファンケイシングを上下動の際にスプリングが横に広がることを抑える一対の向かい合う横向きフックを設ける。
【００１８】
フードに装着する整流版に、整流版上面に対して直角にオイルグリッド差し込み溝を有するオイルグリッド柱を整流版の奥に２本と手前に２本設け、奥２本にフックと手前２本に留穴を形成して、フードに整流板を扇状で開閉自在に装着する要にフックをひっかける支持梁を設け、フードの手前に整流板の手前を上げて整流板に設けた留穴を係止する留め具を形成して、支持梁はファンケイシングの吸気口面に設けた吸気口面脱落防止フックを留めることが出来る。
【００１９】
請求項４に対する本願発明のレンジフードは、レンジフードにおいて、レンジフードの左右側面のそれぞれにコロガイドレールと上コロを配設して、フードの左右と前後にＣ型フレームを枠状に装着し、左右のＣ型フレームの奥端に下コロとＣ型フレーム上に上コロスットッパーを配設して、左右のＣ型フレームに支持アームを固定して、フードはＣ型フレームと支持アームで固定されて、支持アーム上部にファンモーターと排気ダクトを装着する。
【００２０】
ファンモーターと排気ダクト間の支持アームにファンケイシングの吸気口面を支える吸気口面支持バーを配設し、支持バー下部にロックハンドルを装着して、支持アームにファンケイシング位置確定具を配設する。
【００２１】
レンジフードの左右側面に扉を装着して、左右側面に災害時フードが飛び出さないための耐震フード移動留を装着する。
【発明の効果】
【００２２】
以下図面に基づき説明する。
図１−図６符号１−符号２５は、レンジフードにおいて、レンジフード（１）の左右側面(２)間に梁(３)を設け、梁(３)に排気ダクト(８)が固定され、梁(３)にファンモーター(４)固定金具(５)を配設して固定金具(５)にファンモーター(４)を固定して、ファンケイシング(６)にファンモーター(４)は取付けず、ファンケイシング(６)とファンモーター(４)は分離されていて、ファンケイシング(６)上部にファンモーター(４)シャフトに装着されたファン取付け金具(７)が貫通する穴と排気ダクト(８)が挿入される排気ダクト挿入口(９)を設けていて、ファンケイシング(６)側面には一切の物は取り払われていることにおいて、ファンケイシング(６)上部と側部はレンジフード（１）本体とファンケイシング(６)を分離する際に両者の関わりがなくなる。
【００２３】
フード(１２)は左右側面(２)に固定して、フード(１２)にファンケイシング(６)を装着するためのファンケイシング取付けボルト(１３)を装着する雌螺子ナットを形成し、フード(１２)にファンケイシング(６)がファンケイシング取付けボルト(１３)により脱着容易に装着されていることにおいて、ファンケイシング(６)のみを取り外して清掃出来る。
【００２４】
ファンケイシング(６)に吸気口(１４)が形成された吸気口面(１５)全体を装着する吸気口面取付けボルト(１６)が装着される雌螺子ナットを形成し、ファンケイシング(６)に吸気口面(１４)全体が吸気口面取付けボルト(１６)により脱着容易に装着されていることにおいて、ファンケイシング(６)より吸気口面取付けボルト(１６)と吸気口面(１５)を外した場合ファンケイシング(６)内部全体を容易に清掃できる。
【００２５】
フード(１２)に脱着容易に装着する整流版(１７)に、整流版上面(１８)に対して直角にオイルグリッド柱(２１)を設け、オイルグリッド柱(２１)には差し込み溝(２０)が形成されていることにおいて、差し込み溝(２０)にオイルグリッド(１９)を脱着容易に装着出来る。
【００２６】
オイルグリッド柱(２１)を整流版(１７)の奥に２本と手前に２本設け、奥２本にフック(２２)と手前２本に留穴(２３)を形成して、フード(１２)に整流板（１７）を扇状で開閉自在に装着する要に、フック(２２)をひっかける掛具(２４)を設け、フード（１２）の手前に整流板(１７)の手前を上げて整流板（１７）に設けた留穴(２３)を留めるための留め具(２５)を形成することにおいて、フード(１２)より整流板（１７）とオイルグリッド(１９)を一緒に取り外すことが出来る。
【００２７】
図７−１４図符号２６−符号５８は、レンジフードにおいて、レンジフード（２６）の左右側面(２７)のそれぞれにロングフック(２８)を配設して、ロングフック(２８)間に支持フレーム(２９)を装着して、支持フレーム(２９)に支持アーム(３０)を固定してあることにおいて、フード(３１)を支持フレーム(２９)と支持アーム(３０)で固定出来て、支持アーム(３０)上部にファンモーター(３２)と排気ダクト(３３)を装着することが容易になり、ファンモーター(３２)と排気ダクト(３３)間の支持アーム(３０)にファンケイシング(３４)の吸気口面(３５)を支える吸気口面(３５)支持バー(３６)を配設出来る。
【００２８】
支持アーム(３０)にファンケイシング(３４)位置確定具(３８)を設けたことにおいて、フード（３１）の中央の開口部の下からファンケイシング(３４)を挿入して、更にファンケイシング(３４)を支持アーム(３０)四本の間に上げた際にファンケイシング(３４)上部が位置確定具(３８)に当ってファンケイシング(３４)の前後左右動きと上への動きは規制され、ファンケイシング(３４)の位置が確定されて、排気口(４６)と排気ダクト(３３)のすり合わせ、ファンモーターシャフト周囲に設けられたシールダー(４５)とシールダー(４５)が貫通するファンケイシング(３４)上部に設けられた穴とのすり合わせは確定する、と共にファンケイシング(３４)下部とフード(３１)上部の噛み合わせが確実なものになる。
【００２９】
ファンケイシング(３４)側面下部の左右に一対ずつの細い筒(４０)を設け、筒(４０)にスプリング(４１)を装着して、右二本の支持アーム(３０)間と左二本の支持アーム(３０)間のそれぞれに横板状の梁(４２)を設け、二枚の梁(４２)のそれぞれに上向きフック(４３)と、一対の向かい合う横向きフック(４４)を設けることにおいて、ファンケイシング(３４)を下げた時点でスプリング(４１)が上向きフック(４３)に引っかかってファンケイシング(３４)の脱落防止になり、ファンケイシング(３４)を位置確定具(３８)迄上げた際にスプリング(４１)は横向きフック(４４)の上で広がりファンケイシング(３４)が上へと上がる力は保持されると共に、ファンケイシング(３４)上下動の際にスプリング(４１)と横向きフック(４４)の摩擦力によりファンケイシング(３４)から手を離してもファンケイシング(３４)が脱落することはない。
【００３０】
フード（３１）に支持梁(５４)を配設して、吸気口面(３５)に脱落防止フック(５６)を設けて、支持アーム(３０)に配設した支持バー(３６)下部にロックハンドル(３７)を装着してあることにおいて、支持梁(５４)に脱落防止フック(５６)を引っ掛け吸気口面(３５)手前をロックハンドル(３７)で占めることが出来る。
【００３１】
スプリング(４１)下部を曲げてスプリング(４１)上部は筒(４０)を支点としてファンケイシング(３４)側部より離れる構成に成っていることにおいて、ファンケイシング(３４)の上下動の際にスプリング(４１)は横板状の梁(４２)より離れることがない。
【００３２】
吸気口面(３５)に突起(５７)を形成し、ファンケイシング(３４)に突起(５７)が貫通する穴を設け、フード（３１）に吸気口面(３５)脱着の際に、吸気口面(３５)に形成された突起(５７)によりファンモーター(３２)電源回路がＯＮ  ＯＦする安全スイッチ(５８)を装着されていることにおいて、清掃時にファンモーター(３２)に装着されたファンによる事故の回避ができる。
【００３３】
図１５−２０図符号５９−７６符号は、レンジフードにおいて、レンジフード（５９）の左右側面(６０)のそれぞれにコロガイドレール(６１)と上コロ(６２)を配設して、フード(６３)の左右と前後にＣ型フレーム(６４)を枠状に装着し、左右のＣ型フレーム(６４)の奥端に下コロ(６５)と左右のＣ型フレーム(６４)上に上コロスットッパー(６６)を配設して、左右のＣ型フレーム(６４)に支持アーム(６７)を固定して、フード(６３)はＣ型フレーム(６４)と支持アーム(６７)で固定されて、支持アーム(６７)上部にファンモーター(６８)と排気ダクト(６９)を装着することにおいて、フード(６３)を前後に移動できて、楽な姿勢でフード(６３)の下で清掃ができる。
【図面の簡単な説明】
【００３４】
【図１】レンジフード（１）の使用可能状態を示す正面図。
【図２】レンジフード（１）よりファンケーシング（６）と整流板（１７）を取り外した正面図。
【図３】取り外したファンケーシング（６）の正面図。
【図４】レンジフード（１）使用可能状態の正面を示す図、まる内イメージ断面図。
【図５】レンジフード（１）の底面図、吸気口面(１５)と、ファンケイシング取付けボルト(１３)と吸気口面取付けボルト(１６)を示し、吸気口面(１５)周囲とファンケイシング(６)側部の下部形状を示す。
【図６】整流板（１７）の斜視図。
【図７】レンジフード（２６）の使用可能状態を示す正面図。
【図８】レンジフード（２６）の使用可能状態を示すイメージ正面図。
【図９】ファンケイシング(３４)下部を支持アーム(３０)間の左右二枚の梁(４２)に上下動自在に装着する図
【図１０】レンジフード（２６）の平面図
【図１１】レンジフード（２６）の底面図
【図１２】整流板（４７）の斜視図。
【図１３】レンジフード（２６）よりファンケーシング（３４）と整流板（４７）を取り外した正面図。
【図１４】取り外したファンケーシング（３４）の正面図。
【図１５】レンジフード(５９)の正面図。
【図１６】左右側面(６０)の、左側面を内側から見た図。
【図１７】Ｃ型フレーム(６４)が装着されたフード(６３)の左側面図。
【図１８】コロガイドレール(６１)と上コロ(６２)、Ｃ型フレーム(６４)と下コロ(６５)とにより使用可能状態を示すイメージ図、切断線Ａ−Ａ線と切断線Ｂ―Ｂ線を示す。
【図１９】Ｃ円内は図１８の切断線Ａ−Ａ線端面図、Ｄ円内は図１８の切断線Ｂ―Ｂ線端面図
【図２０】コロガイドレール(６１)と上コロ(６２)、Ｃ型フレーム(６４)と下コロ(６５)とによりレンジフード内部を引き出した左側面図。
【発明を実施するための形態】
【００３５】
以下図面に基づき説明する。
図１−図６符号１−符号２５は、レンジフードにおいて、レンジフード（１）の左右側面(２)間に梁(３)を設け、梁(３)にファンモーター(４)固定金具(５)を配設し固定金具(５)にファンモーター(４)を固定して、ファンケイシング(６)にファンモーター(４)は取付けず、ファンケイシング(６)とファンモーター(４)は分離すると共に密着して、ファンケイシング(６)上部にファンモーター(４)シャフトに装着されたファン取付け金具(７)が貫通する穴と排気ダクト(８)が挿入される排気ダクト挿入口(９)を設けて、ファン取付け金具(７)にはファン(１０)がファン装着具(１１)により装着されていて、梁(３)に排気ダクト(８)が固定されている。
【００３６】
フード(１２)は左右側面(２)に固定して、フード(１２)にファンケイシング(６)を装着するファンケイシング取付けボルト(１３)を装着する雌螺子ナットを形成し、フード(１２)にファンケイシング(６)がファンケイシング取付けボルト(１３)により装着されている。
【００３７】
ファンケイシング(６)に吸気口(１４)が形成された吸気口面(１５)全体を装着する吸気口面取付けボルト(１６)が装着される雌螺子ナットを形成し、ファンケイシング(６)に吸気口面(１５)全体が吸気口面取付けボルト(１６)により装着されている。
【００３８】
フード(１２)に装着する整流版(１７)に、整流版上面(１８)に対して直角にオイルグリッド(１９)差し込み溝(２０)を有するオイルグリッド柱(２１)を整流版(１７)の奥に２本と手前に２本設け、奥２本にフック(２２)と手前２本に留穴(２３)を形成して、フード(１２)に整流板（１７）を扇状で開閉自在に装着する要にフック(２２)をひっかける掛具(２４)を設け、フード（１２）の手前に整流板(１７)の手前を上げて整流板（１７）に設けた留穴(２３)を留めるための留め具(２５)を形成する。
【００３９】
使用可能状態からレンジフード（１）よりファンケイシング(６)を取り外しての清掃は、整流版(１７) 手前２本のオイルグリッド柱(２１)に形成された留穴(２３)とフード（１２）に設けられた留め具(２５)との係止を解いて整流版(１７) 手前下げて、オイルグリッド柱(２１)の差し込み溝(２０)に差し込まれたオイルグリッド(１９)を引き抜きいて、フード(１２)に配設された掛具(２４)に掛けられたフック(２２)を外す。
【００４０】
ファンケイシング(６)より吸気口面取付けボルト(１６)を外してファンケイシング(６)より吸気口面(１５)を外し、ファン取付け金具(７)よりファン装着具(１１)とファン(１０)を外して、フード(１２)よりファンケイシング取付けボルト(１３)を外し、フード(１２)よりファンケイシング(６)を外し清掃して、取り外した反対手順で使用可能状態に戻す。
【００４１】
図７−１４図符号２６−符号５８は、レンジフードにおいて、レンジフード（２６）の左右側面(２７)のそれぞれにロングフック(２８)を配設しロングフック(２８)間に支持フレーム(２９)を装着すると共に、フード(３１)周囲の支持フレーム(２９)にして、支持フレーム(２９)に支持アーム(３０)を固定し、フード(３１)を支持フレーム(２９)と支持アーム(３０)で固定して、支持アーム(３０)上部にファンモーター(３２)と排気ダクト(３３)を装着し、ファンモーター(３２)と排気ダクト(３３)間の支持アーム(３０)にファンケイシング(３４)の吸気口面(３５)を支える吸気口面(３５)支持バー(３６)を配設し、支持バー(３６)下部にロックハンドル(３７)を装着して、支持アーム(３０)にファンケイシング(３４)位置確定具(３８)を配設する。
【００４２】
ファンケイシング(３４)に横溝状の取っ手(３９)とファンケイシング(３４)側面下部の左右に一対ずつの筒(４０)を設け、筒(４０)にスプリング(４１)を装着して、右二本の支持アーム(３０)間と左二本の支持アーム(３０)間のそれぞれに横板状の梁(４２)を設け、二枚の梁(４２)のそれぞれに、ファンケイシング(３４)を下げた時点でスプリング(４１)が引っかかる上向きフック(４３)と、ファンケイシング(３４)を上下動の際にスプリング(４１)が横に広がることを抑える一対の向かい合う横向きフック(４３)を形成して、ファンケイシング(３４)上部にファン留ピンを有するファンモーターシャフトと、ファンモーターシャフト周囲に設けられたシールダー(４５)が貫通する穴と排気ダクト(３３)が出入りする排気口(４６)をもうける。
【００４３】
フード(３１)に装着する整流版(４７)に、整流版上面(４８)に対して直角にオイルグリッド(４９)差し込み溝(５０)を有するオイルグリッド柱(５１)を整流版(４７)の奥に２本と手前に２本設け、奥２本にフック(５２)と手前２本に留穴(５３)を形成して、フード(３１)に整流板（４７）を扇状で開閉自在に装着する要にフック(５２)をひっかける支持梁(５４)を設け、フード（３１）の手前に整流板(４７)の手前を上げて整流板（４７）に設けた留穴(５３)を係止する留め具(５５)を形成して、支持梁(５４)はファンケイシング(３４)の吸気口面(３５)に設けた吸気口面(３５)脱落防止フック(５６)を留める。
【００４４】
吸気口面(３５)に突起(５７)を形成し、ファンケイシング(３４)に突起(５７)が貫通する穴を設け、フード（３１）に吸気口面(３５)脱着の際に、吸気口面(３５)に形成された突起(５７)によりファンモーター(３２)電源回路がＯＮ  ＯＦする安全スイッチ(５８)を装着する。
【００４５】
使用可能状態からレンジフード（２６）よりファンケイシング(３４)を取り外しての清掃は、整流版(４７) 手前２本のオイルグリッド柱(５１)に形成された留穴(５３)とフード（３１）に設けられた留め具(５５)との係止を解いて整流版(４７) 手前下げて、オイルグリッド柱(５１)の差し込み溝(５０)に差し込まれたオイルグリッド(４９)を引き抜きいて、フード(３１)に配設された支持梁(５４)に掛けられたフック(５２)を外す。
【００４６】
吸気口面(３５)を留めたロックハンドル(３７)を回して吸気口面(３５)手前を下げ、支持梁(５４)より吸気口面(３５)脱落防止フック(５６)を外し、吸気口面(３５)を外して、ファンモーターシャフトに係止されたファン取付け具とファンを外しファンケイシング(３４)に設けられた取っ手(３９)に指を掛けて強く下に引くと共に、ファンケイシング(３４)に装着されたスプリング(４１)が梁(４２)に形成された一対の向かい合う横向きフック(４４)に擦られ徐々に下におりてスプリング(４１)上部が上向きフック(４３)に引っかかり、スプリング(４１)を上向きフック(４３)より外してファンケイシング(３４)を取り外し清掃する。
【００４７】
取り外したファンケイシング(３４)に装着され開いたスプリング(４１)をファンケイシング(３４)側面に寄せてからスプリング(４１)を上向きフック(４３)に引っ掛けファンケイシング(３４)を上げると、上げ終わる手前からファンケイシング(３４)はフード(３１)に吸い込まれるごとく上に上がる、取り外した部品は反対手順で使用可能状態に戻す。
【００４８】
図１５−２０図符号５９−７６符号は、レンジフードにおいて、レンジフード（５９）の左右側面(６０)のそれぞれにコロガイドレール(６１)と上コロ(６２)を配設して、フード(６３)の左右と前後にＣ型フレーム(６４)を枠状に装着し、左右のＣ型フレーム(６４)の奥端に下コロ(６５)とＣ型フレーム(６４)上に上コロスットッパー(６６)を配設して、左右のＣ型フレーム(６４)に支持アーム(６７)を固定して、フード(６３)はＣ型フレーム(６４)と支持アーム(６７)で固定されて、支持アーム(６７)上部にファンモーター(６８)と排気ダクト(６９)を装着する。
【００４９】
ファンモーター(６８)と排気ダクト(６９)間の支持アーム(６７)にファンケイシング(７０)の吸気口面(７１)を支える吸気口面(７１)支持バー(７２)を配設し、支持バー(７２)下部にロックハンドル(７３)を装着して、支持アーム(６７)にファンケイシング(７０)位置確定具(７４)を配設する。
【００５０】
レンジフード（５９）の左右側面(６０)に扉(７５)を装着して、左右側面(６０)に災害時フードが飛び出さないための耐震フード（６３）移動留(７６)を装着する。
【００５１】
使用可能状態からフード（６３）の前への移動は、レンジフード（５９）の左右側面(６０)に装着された扉(７５)を開いて、左右側面(６０)に装着されたフード（６３）移動留(７６)を解除して手前にフード（６３）を移動すると、上コロ(６２)が上コロスットッパー(６６)で止まる迄移動でき、フード（６３）の下で清掃する。
【産業上の利用可能性】
【００５２】
レンジフードにおいて、シロッコファンケイシングをレンジフードより独立させ取り外す形状は製造費用を増すことなく製造出来る。
【符号の説明】
【００５３】
１  レンジフード
２  側面
３  梁
４  ファンモーター
５  固定金具
６  ファンケイシング
７  ファン取付金具
８  排気ダクト
９  排気ダクト挿入口
１０  ファン
１１  ファン装着具
１２  フード
１３  ファンケイシング取付けボルト
１４  吸気口
１５  吸気口面
１６  吸気口面取付けボルト
１７  整流板
１８  整流板上面
１９  オイルグリッド
２０  差し込み溝
２１  オイルグリッド柱
２２  フック
２３  留穴
２４  掛具
２５  留め具
２６  レンジフード
２７  左右側面
２８  ロングフック
２９  支持フレーム
３０  支持アーム
３１  フード
３２  ファンモーター
３３  排気ダクト
３４  ファンケイシング
３５  吸気口面
３６  支持バー
３７  ロックハンドル
３８  位置確定具
３９  取っ手
４０  筒
４１  スプリング
４２  梁
４３  上向きフック
４４  横向きフック
４５  シールダー
４６  排気口
４７  整流版
４８  整流版上面
４９  オイルグリッド
５０  差し込み溝
５１  オイルグリッド柱
５２  フック
５３  留穴
５４  支持梁
５５  留め具
５６  脱落防止フック
５７  突起
５８  安全スイッチ
５９  レンジフード
６０  左右側面
６１  コロガイドレール
６２  上コロ
６３  フード
６４  Ｃ型フレーム
６５  下コロ
６６  上コロストッパー
６７  支持アーム
６８  ファンモーター
６９  排気ダクト
７０  ファンケイシング
７１  吸気口面
７２  支持バー
７３  ロックハンドル
７４  位置確定具
７５  扉
７６  移動留
【図１】
2015206577.tif 000003
【図２】
2015206577.tif 000004
【図３】
2015206577.tif 000005
【図４】
2015206577.tif 000006
【図５】
2015206577.tif 000007
【図６】
2015206577.tif 000008
【図７】
2015206577.tif 000009
【図８】
2015206577.tif 000010
【図９】
2015206577.tif 000011
【図１０】
2015206577.tif 000012
【図１１】
2015206577.tif 000013
【図１２】
2015206577.tif 000014
【図１３】
2015206577.tif 000015
【図１４】
2015206577.tif 000016
【図１６】
2015206577.tif 000017
【図１７】
2015206577.tif 000018
【図１８】
2015206577.tif 000019
【図１９】
2015206577.tif 000020
【図２０】
2015206577.tif 000021
【図１５】
2015206577.tif 000022